【手続補正書】
【提出日】平成27年11月30日(2015.11.30)
【手続補正１】
【補正対象書類名】明細書
【補正対象項目名】０００７
【補正方法】変更
【補正の内容】
【０００７】
本発明の目的は、上記問題に鑑み、複数配置したオブジェクトの長さが固定のサイズを超える場合であっても、十分な可読性、操作性を維持するための表示方法を提供することである。
【手続補正２】
【補正対象書類名】明細書
【補正対象項目名】０００８
【補正方法】変更
【補正の内容】
【０００８】
本発明は、固定の長さの表示範囲内において複数配置されたオブジェクトを閲覧可能にする情報処理装置であって、複数のオブジェクトの配置の指示をユーザより受け付ける配置指示受付手段と、前記配置指示受付手段によって受け付けた指示に基づき配置された複数のオブジェクトの長さが固定のサイズを超えるか否かを判定するサイズ判定手段と、ユーザから前記配置指示受付手段によって受け付けた指示に基づき配置された複数のオブジェクトより、いずれかのオブジェクトの選択を受け付ける選択受付手段と、前記選択受付手段で受け付けた前記オブジェクトではないオブジェクトのサイズの縮小方法を縮小パターンとして記憶する縮小パターン記憶手段と、前記サイズ判定手段により、前記配置された複数のオブジェクトの長さが前記固定のサイズを超えると判定した場合に、前記選択受付手段で受け付けた前記オブジェクトではないオブジェクトを前記縮小パターンに応じて縮小して前記配置された複数のオブジェクトを表示する表示制御手段と、を備えることを特徴とする。
【手続補正３】
【補正対象書類名】明細書
【補正対象項目名】０００９
【補正方法】変更
【補正の内容】
【０００９】
本発明により、複数配置したオブジェクトの長さが固定の表示サイズを超える場合であっても、十分な可読性、操作性を維持するための表示方法が提供可能となる。
【手続補正４】
【補正対象書類名】特許請求の範囲
【補正対象項目名】全文
【補正方法】変更
【補正の内容】
【特許請求の範囲】
【請求項１】
複数配置されたオブジェクトを、固定のサイズの表示領域内において閲覧可能に表示する情報処理装置であって、
複数のオブジェクトの配置の指示をユーザより受け付ける配置指示受付手段と、
前記配置指示受付手段によって受け付けた指示に基づき配置された複数のオブジェクトが固定のサイズの表示領域内において配置可能か否かを判定するサイズ判定手段と、
ユーザから前記配置指示受付手段によって受け付けた指示に基づき配置された複数のオブジェクトより、いずれかのオブジェクトの選択を受け付ける選択受付手段と、
前記選択受付手段で受け付けた前記オブジェクトではないオブジェクトのサイズの縮小方法を縮小パターンとして記憶する縮小パターン記憶手段と、
前記サイズ判定手段により、前記配置された複数のオブジェクトが前記固定のサイズの表示領域内において配置可能でないと判定した場合に、前記選択受付手段で受け付けた前記オブジェクトではないオブジェクトを前記縮小パターンに応じて縮小して前記配置された複数のオブジェクトを表示する表示制御手段と、
を備えることを特徴とする情報処理装置。
【請求項２】
前記選択受付手段で受け付けた前記オブジェクトではないオブジェクトを前記縮小パターンに応じて縮小した後の複数の前記オブジェクトが前記固定のサイズの表示領域内において配置可能でない場合、前記固定のサイズの範囲以内において複数のオブジェクトを表示可能にするスライド機能を設定するスライド設定手段、
を更に備えることを特徴とする請求項１に記載の情報処理装置。
【請求項３】
前記縮小パターンには、前記選択受付手段により選択を受け付けたオブジェクト以外のオブジェクトを均等のサイズに縮小して表示することが指定されること
を特徴とする請求項１または請求項２に記載の情報処理装置。
【請求項４】
前記縮小パターンには、前記選択受付手段により選択を受け付けたオブジェクトと近い位置にあるオブジェクトは前記選択を受け付けたオブジェクトと同じサイズで表示させることが指定され、一方、前記選択受付手段により選択を受け付けたオブジェクトと離れた位置にあるオブジェクトは前記選択を受け付けたオブジェクトとよりも小さいサイズに縮小させることが指定されること
を特徴とする請求項１または請求項２に記載の情報処理装置。
【請求項５】
前記縮小パターンには、前記選択受付手段により選択を受け付けたオブジェクト以外のオブジェクトを、前記選択受付手段により選択を受け付けたオブジェクトからの距離に応じて縮小する定義が含まれることが指定されること
を特徴とする請求項１または請求項２に記載の情報処理装置。
【請求項６】
前記縮小パターンには、オブジェクトの縮小サイズに応じて、当該オブジェクトに表示する情報を、当該情報の優先順位に従って省略する定義が含まれることを特徴とする請求項１乃至請求項５のいずれか１項に記載の情報処理装置。
【請求項７】
前記縮小パターンには、オブジェクトの縮小されたサイズに応じて、当該オブジェクトに表示する情報のサイズを縮小する定義が含まれることを特徴とする請求項１乃至請求項６のいずれか１項に記載の情報処理装置。
【請求項８】
前記選択受付手段で受け付けた前記オブジェクトのサイズの拡大方法を拡大パターンとして記憶する拡大パターン記憶手段と、
を更に備え、
表示制御手段は、更に、前記選択受付手段で受け付けた前記オブジェクトを前記拡大パターンに応じて拡大して前記配置された複数のオブジェクトを表示する
ことを特徴とする請求項１乃至請求項７のいずれか１項に記載の情報処理装置。
【請求項９】
オブジェクトを標準サイズで表示するか否かを前記縮小パターンの定義において指定可能であって、当該オブジェクトを標準サイズで表示する指定である場合には、縮小する対象であっても縮小しないで標準サイズで表示すること
を特徴とする請求項１乃至請求項８のいずれか１項に記載の情報処理装置。
【請求項１０】
複数配置されたオブジェクトを、固定のサイズの表示領域内において閲覧可能に表示する情報処理装置の制御方法であって、
配置指示受付手段が、複数のオブジェクトの配置の指示をユーザより受け付ける配置指示受付工程と、
サイズ判定手段が、前記配置指示受付工程によって受け付けた指示に基づき配置された複数のオブジェクトが固定のサイズの表示領域内において配置可能か否かを判定するサイズ判定工程と、
選択受付手段が、ユーザから前記配置指示受付工程によって受け付けた指示に基づき配置された複数のオブジェクトより、いずれかのオブジェクトの選択を受け付ける選択受付工程と、
縮小パターン記憶手段が、前記選択受付工程で受け付けた前記オブジェクトではないオブジェクトのサイズの縮小方法を縮小パターンとして縮小パターン記憶手段に登録する縮小パターン登録工程と、
表示制御手段が、前記サイズ判定工程により、前記配置された複数のオブジェクトが前記固定のサイズの表示領域内において配置可能でないと判定した場合に、前記選択受付工程で受け付けた前記オブジェクトではないオブジェクトを前記縮小パターンに応じて縮小して前記配置された複数のオブジェクトを表示する表示制御工程と、
を備えることを特徴とする情報処理装置の制御方法。
【請求項１１】
複数配置されたオブジェクトを、固定のサイズの表示領域内において閲覧可能に表示する情報処理装置において実行可能なプログラムであって、
前記情報処理装置を、
複数のオブジェクトの配置の指示をユーザより受け付ける配置指示受付手段と、
前記配置指示受付手段によって受け付けた指示に基づき配置された複数のオブジェクトが固定のサイズの表示領域内において配置可能か否かを判定するサイズ判定手段と、
ユーザから前記配置指示受付手段によって受け付けた指示に基づき配置された複数のオブジェクトより、いずれかのオブジェクトの選択を受け付ける選択受付手段と、
前記選択受付手段で受け付けた前記オブジェクトではないオブジェクトのサイズの縮小方法を縮小パターンとして縮小パターン記憶手段に登録する縮小パターン登録手段と、
前記サイズ判定手段により、前記配置された複数のオブジェクトが前記固定のサイズの表示領域内において配置可能でないと判定した場合に、前記選択受付手段で受け付けた前記オブジェクトではないオブジェクトを前記縮小パターンに応じて縮小して前記配置された複数のオブジェクトを表示する表示制御手段と、
として機能させることを特徴とするプログラム。
【請求項１２】
請求項１１に記載されたプログラムを記録したコンピュータ読み取り可能な記録媒体。